(57)【要約】      （修正有）【課題】端末機器の異常発生の情報を迅速に確認でき、効率よく端末機器の点検を行うことのできる防災受信盤を提供する。【解決手段】トンネル防災システムは、トンネル内に設置される端末機器と伝送線２により接続され、端末機器と情報の送受信及び所定の制御を行う監視制御部２１を有する防災監視装置と、端末機器の電流測定を行う電流監視装置３０とを納める筐体を有する。電流監視装置３０は、端末機器の電流値を検出する電流監視部３２と、電流監視部３２の監視状態を表示するモニタを備えた電流監視表示部３３と、電流監視部３２に端末機器の電流値を検出させる電流測定を行わせる電流監視制御部３１と、電流測定の履歴を保存する記憶部とを有し、電流監視制御部３１は、記憶部に記憶された電流測定の履歴のうち、異常が検出された履歴の情報を抽出し、電流監視表示部３３に表示させる。【選択図】図３
2019074900.tif 000002
【特許請求の範囲】
【請求項１】
トンネル内に設置される端末機器と伝送線で接続される防災受信盤であって、
前記伝送線を介して前記端末機器と情報の送受信及び所定の制御を行う監視制御部を有する防災監視装置と、前記端末機器の電流測定を行う電流監視装置とを納める筐体を有し、
前記電流監視装置は、前記端末機器の電流値を検出する電流監視部と、該電流監視部の監視状態を表示するモニタを備えた電流監視表示部と、前記電流監視部に前記端末機器の電流値を検出する電流測定を行わせる電流監視制御部と、前記電流測定の履歴を保存する記憶部とを有し、
前記電流監視制御部は、前記記憶部に記憶された前記電流測定の履歴のうち、異常が検出された履歴の情報を抽出し、前記電流監視表示部に表示させることを特徴とする防災受信盤。
【請求項２】
前記防災監視装置は前記監視制御部により制御される印字部を有し、
前記電流監視制御部は、前記記憶部から抽出された異常が検出された履歴の情報を、前記監視制御部を介して前記印字部で印字させることを特徴とする請求項１記載の防災受信盤。
【請求項３】
前記電流監視表示部はタッチパネルからなることを特徴とする請求項１または２記載の防災受信盤。
【請求項４】
前記記憶部は、前記電流測定の履歴に対応して異常の程度の情報を記憶し、前記電流監視制御部は、抽出した異常が検出された履歴の情報を前記異常の程度の情報に基づいて並べ替え、前記電流監視表示部に表示させることを特徴とする請求項１〜３のいずれか１項に記載の防災受信盤。
【請求項５】
前記記憶部は、前記電流測定の履歴に対応して測定箇所の情報を記憶し、前記電流監視制御部は、抽出した異常が検出された履歴の情報を前記測定箇所の情報に基づいて並べ替え、前記電流監視表示部に表示させることを特徴とする請求項１〜３のいずれか１項に記載の防災受信盤。
【請求項６】
前記記憶部は、前記電流測定の履歴に対応して異常の種類の情報を記憶し、前記電流監視制御部は、抽出した異常が検出された履歴の情報を前記異常の種類の情報に基づいて並べ替え、前記電流監視表示部に表示させることを特徴とする請求項１〜３のいずれか１項に記載の防災受信盤。
【発明の詳細な説明】
【技術分野】
【０００１】
本発明は、トンネルに設置される消火栓等の端末機器からの信号を受信すると共に、各端末機器の障害監視を行う防災受信盤に関する。
【背景技術】
【０００２】
自動車専用道等のトンネルには、トンネル内で発生する火災等に備える各種機器が設置される。このような機器としては、火災の通報を行う火災通報装置、非常電話、消火栓装置などが挙げられる。これらを端末機器として、監視及び制御するため、防災受信盤が設けられる。防災受信盤は、複数の端末機器を監視、制御するために、伝送線にて各端末機器と接続されている。
【０００３】
このようにトンネル内の端末機器と接続される防災受信盤としては、例えば特許文献１に挙げるようなものがある。
【先行技術文献】
【特許文献】
【０００４】
【特許文献１】特開２０１６−１０３９５９号公報
【発明の概要】
【発明が解決しようとする課題】
【０００５】
トンネル内の端末機器は、トンネルの長さ方向に沿って複数が設けられており、それぞれが火災等の異常発生時には確実に動作する必要がある。このため、各端末機器が正常に動作する状態にあるかを監視しておく必要がある。端末機器の動作状態の監視方法として、各端末機器に流れる電流を定期的に測定し、その電流値が所定の範囲内にあるか否かを判別する手法が知られている。
【０００６】
外線の経年変化を監視する電流監視システムは、その性質上、防災監視システムとは別の機能として構成される。このため、電流監視システム用に、各端末機器と接続される電流監視盤が、防災受信盤とは別に設けられるのが通常である。
【０００７】
しかし、防災受信盤とは別の場所に電流監視盤が設けられていると、各盤の操作やメンテナンスの際などに、それぞれの場所で作業を行う必要があり、作業効率が悪いという問題がある。そこで、防災受信盤に電流監視盤の機能を持たせて一体化することが考えられる。
【０００８】
電流監視盤においては、定期的に自動測定が行われて、端末機器に対する電流測定結果の履歴が増加していく。端末機器の点検などの際には、電流測定結果の履歴を見て、端末機器に異常が発生していないかがチェックされるが、大量の履歴情報から異常発生の情報を見つけるには手間が掛かっていた。また、防災受信盤と電流監視盤とを一体化したことに伴い、より効率よく端末機器の点検を行えることが望まれている。
【０００９】
本発明は前記課題を鑑みてなされたものであり、端末機器の異常発生の情報を迅速に確認でき、効率よく端末機器の点検を行うことのできる防災受信盤を提供することを目的とする。
【課題を解決するための手段】
【００１０】
前記課題を解決するため、請求項１の発明に係る防災受信盤は、トンネル内に設置される端末機器と防災監視系統により接続される防災受信盤であって、
前記防災監視系統を介して前記端末機器と情報の送受信及び所定の制御を行う監視制御部を有する防災監視装置と、前記防災監視系統とは別系統の電流監視系統を介して前記端末機器と接続される電流監視装置とを納める筐体を有し、
前記電流監視装置は、前記端末機器の電流値を検出する電流監視部と、該電流監視部の監視状態を表示するモニタを備えた電流監視表示部と、前記電流監視部に前記端末機器の電流値を検出する電流測定を行わせる電流監視制御部と、前記電流測定の履歴を保存する記憶部とを有し、
前記電流監視制御部は、前記記憶部に記憶された前記電流測定の履歴のうち、異常が検出された履歴の情報を抽出し、前記電流監視表示部に表示させることを特徴として構成されている。
【００１１】
請求項１に係る発明によれば、端末機器の電流測定結果のうち、異常が検出された結果のみを電流監視表示部に表示させるので、作業者が異常発生について迅速に確認することができる。
【００１２】
また、請求項２の発明に係る防災受信盤は、前記防災監視装置は前記監視制御部により制御される印字部を有し、
前記電流監視制御部は、前記記憶部から抽出された異常が検出された履歴の情報を、前記監視制御部を介して前記印字部で印字させることを特徴として構成されている。
【００１３】
請求項２に係る発明によれば、防災監視装置が有する印字部で電流監視装置で検出された端末機器の異常の情報を出力でき、トンネル防災システムのメンテナンス性をより向上させ、効率のよい作業を可能とすることができる。
【００１４】
さらに、請求項３の発明に係る防災受信盤は、前記電流監視表示部はタッチパネルからなることを特徴として構成されている。
【００１５】
請求項３に係る発明によれば、電流監視装置における操作を画面上で行うことができ、効率よく作業を行うことができる。また、タッチパネルにより表示部と操作部を一体化でき、スペースを有効利用して省スペース化を図ることができる。
【００１６】
さらにまた、請求項４の発明に係る防災受信盤は、前記記憶部は、前記電流測定の履歴に対応して異常の程度の情報を記憶し、前記電流監視制御部は、抽出した異常が検出された履歴の情報を前記異常の程度の情報に基づいて並べ替え、前記電流監視表示部に表示させることを特徴として構成されている。
【００１７】
請求項４に係る発明によれば、端末機器の異常発生を直感的に把握することができ、メンテナンスの際の作業効率をより向上させることができる。
【００１８】
そして、請求項５の発明に係る防災受信盤は、前記記憶部は、前記電流測定の履歴に対応して測定箇所の情報を記憶し、前記電流監視制御部は、抽出した異常が検出された履歴の情報を前記測定箇所の情報に基づいて並べ替え、前記電流監視表示部に表示させることを特徴として構成されている。
【００１９】
請求項５に係る発明によれば、端末機器の異常発生を直感的に把握することができ、メンテナンスの際の作業効率をより向上させることができる。
【００２０】
そして、請求項６の発明に係る防災受信盤は、前記記憶部は、前記電流測定の履歴に対応して異常の種類の情報を記憶し、前記電流監視制御部は、抽出した異常が検出された履歴の情報を前記異常の種類の情報に基づいて並べ替え、前記電流監視表示部に表示させることを特徴として構成されている。
【００２１】
請求項６に係る発明によれば、端末機器の異常発生を直感的に把握することができ、メンテナンスの際の作業効率をより向上させることができる。
【発明の効果】
【００２２】
本発明に係る防災受信盤によれば、異常が検出された履歴の情報が抽出され、電流監視表示部に表示されるので、端末機器の異常発生の情報を迅速に確認でき、効率よく端末機器の点検を行うことができる。
【図面の簡単な説明】
【００２３】
【図１】本実施形態の防災受信盤を有するトンネル防災システムの概要図である。
【図２】防災監視装置のブロック図である。
【図３】電流監視装置のブロック図である。
【図４】防災受信盤の正面図である。
【図５】防災受信盤の側面図である。
【図６】前面扉を開状態とした筐体の正面図である。
【図７】電流値の自動測定の結果を表示した状態のタッチパネルの画面表示である。
【図８】異常履歴を表示した状態のタッチパネルの画面表示である。
【図９】測定履歴を表示した状態のタッチパネルの画面表示である。
【発明を実施するための形態】
【００２４】
本発明の実施形態について、図面に沿って詳細に説明する。図１には、本実施形態の防災受信盤１を有するトンネル防災システムの概要図を示している。この図に示すように、トンネル防災システムは、自動車専用道のトンネルに適用されるものである。トンネルは、上り線トンネルＡと下り線トンネルＢとからなる。
【００２５】
上り線トンネルＡと下り線トンネルＢの内部壁面には、所定間隔毎に消火栓１０が配置されている。消火栓１０は、消火栓扉の内部にノズル付ホースを収納しており、火災時には消火栓扉を開いてノズル付ホースを引き出し、レバーを開操作することで消火用水が放水されると共に、消火栓弁開閉検出スイッチ１１がオンになることで、消火ポンプ設備４が起動する。また、消火栓１０は、火災発生を通報できる発信機１２も有している。トンネル内の非常用設備として、消火栓１０以外にも、火災検知器や自動弁装置、ダクト内温度検知器等が設けられるが、図示を省略している。
【００２６】
消火栓弁開閉検出スイッチ１１と発信機１２は、防災監視系統２により防災受信盤１に接続されている。伝送線２は、端末機器である消火栓弁開閉検出スイッチ１１及び発信機１２と防災受信盤１との間で、火災発生時の情報伝達を行う。防災受信盤１からは、トンネルの長手方向に分割した所定の区画毎にＰ型の伝送線２−１〜２−ｎが引き出され、区画単位に設けられた複数の消火栓弁開閉検出スイッチ１１及び発信機１２が接続されている。なお、伝送線２−１〜２−ｎは、区別する必要がない場合は、単に伝送線２という。
【００２７】
防災受信盤１は、消火栓１０に水を供給する消火ポンプ設備４と接続されている。いずれかの消火栓１０において、消火栓弁開閉検出スイッチ１１がオンになった場合には、伝送線２を介して防災受信盤１にその情報が送信され、該情報を受信した防災受信盤１は、消火ポンプ設備４を起動させる。
【００２８】
また、防災受信盤１は、外部との通信線５にも接続されている。通信線５は、遠隔地に設けられる監視室等と接続されていて、火災発生等の情報の送受信や、通話などに用いられる。
【００２９】
本実施形態の防災受信盤１は、防災受信機能を有する防災監視装置２０と、電流監視機能を有する電流監視装置３０の両方を有している。これらは、互いに独立した機能を有するが、一部では連係している。図２には防災監視装置２０のブロック図を、図３には電流監視装置３０のブロック図を、それぞれ示している。図２に示すように、防災監視装置２０は、端末機器との情報の送受信及び所定の制御を行う監視制御部２１を有し、監視制御部２１は、伝送部２２により伝送線２を介して端末機器と通信を行うことができる。
【００３０】
防災監視装置２０は、それぞれ監視制御部２１と接続された防災操作表示部２３と、音響発生部２４と、通話部２５と、通信部２６と、印字部２７とを有している。防災操作表示部２３は、防災監視装置２０における端末機器の監視状態を表示すると共に、端末機器の監視に関する操作を行うことができる。通話部２５は、トンネル内の非常電話との通話を行うことができる。通信部２６は、外部との通信を行うことができ、通信線５が接続されている。印字部２７は、防災監視装置２０の動作記録等を紙に印字して出力することができる。
【００３１】
監視制御部２１には、電流監視装置３０との連携を行うため、電流監視装置３０に設けられる電流監視制御部３１と電流監視部３２が接続されている。
【００３２】
監視制御部２１は、伝送線２で接続された端末機器のいずれかから、火災発生を知らせる信号を受信した場合には、警報動作を行う。警報動作において監視制御部２１は、防災操作表示部２３に火災発生を表示させると共に、音響発生部２４に警報を発生させる。また、監視制御部２１は、通信部２６に通信線５を介して外部に火災発生の信号を送信させる。
【００３３】
図３に示すように、電流監視装置３０は、電流測定時に伝送線２に接続され、各端末機器の電流値を測定する電流監視部３２と、電流監視部３２での電流監視制御及び異常発生時等の制御を行う電流監視制御部３１とを有している。電流監視制御部３１には、電流監視部３２における監視状態を表示する電流監視表示部３３と、電流監視に関する操作を行う操作部３４と、電流監視の状態を表示する第２表示部３５と、電流監視結果の履歴を記憶する記憶部３６とが接続されている。また、前述のように、電流監視制御部３１と電流監視部３２は、防災監視装置２０の監視制御部２１と接続されている。
【００３４】
電流監視制御部３１は、伝送線２が接続された端末機器に対して、定期的、あるいは操作部３４で支持されたタイミングで、電流監視部３２に電流値の測定を行わせる。電流監視部３２で測定された各端末機器の電流値は、記憶部３６に記憶される。測定の結果、端末機器のいずれかにおいて電流値が所定範囲内になかった場合、電流監視制御部３１は、防災受信盤１の外側に配置される第２表示部３５に異常発生の表示をさせる。また、防災受信盤１の内側に配置される電流監視表示部３３は、防災受信盤１が開かれた場合にオンとなり、電流値測定の履歴や異常発生などの情報を表示する。
【００３５】
図４には防災受信盤１の正面図を、図５には防災受信盤１の側面図を、それぞれ示している。防災受信盤１は、略箱状の筐体４０を有し、その内外に防災監視装置２０と電流監視装置３０の各構成が配置される。筐体４０は、筐体本体４１の前面側に開閉自在な前面扉４２を、後面側に開閉自在な後面扉４３を、それぞれ有して構成されている。
【００３６】
前面扉４２の前面４２ａには、上部にグラフィックパネル５０が、中央上段に集合表示灯５１が、中央下段に操作部５２が、それぞれ配置されている。グラフィックパネル５０は、各端末機器における警報の状態を表示するものであって、端末機器毎にＬＥＤが設けられていて、警報を発している端末機器に対応するＬＥＤが点灯する。図４ではグラフィックパネル５０の表示については省略している。グラフィックパネル５０は、図２に示す防災監視装置２０における防災操作表示部に相当する。なお、グラフィックパネル５０は、ＬＥＤが配置されたものに限られず、例えばＬＣＤであってもよい。
【００３７】
集合表示灯５１は、複数の表示灯がマトリックス状に配置されたものであり、防災受信盤１の電源のオンオフ状態や、電流監視装置３０における電流監視測定状態、通話部２５の使用状態、防災受信盤１の障害発生状態、端末機器における電流値の異常状態などを表示することができる。集合表示灯５１の表示は、防災監視装置２０に関するものと電流監視装置３０に関するものの両方を含んでいる。すなわち、集合表示灯５１は、図２に示す防災監視装置２０における防災操作表示部２３に相当するが、その中には図３に示す電流監視装置３０における第２表示部３５も含まれている。
【００３８】
操作部５２は、監視するトンネル毎に機器の試験を行うためのスイッチや、通話部２５及びこの通話部２５の操作を行うためのスイッチなどが配置されている。
【００３９】
前面扉４２の下部には、防災監視装置２０の音響発生部２４から発する音を伝えるための音響孔５４が形成されている。また、前面扉４２には、操作部５２の側方に、前面扉４２を開閉するのに用いられるハンドル４２ｃが設けられている。
【００４０】
図５に示すように、筐体４０の内部には、防災監視装置２０や電流監視装置３０の部品を配置するための中間板６０が設けられ、その中央領域の前面側には土台部６３が設けられ、土台部６３の前面には、タッチパネル６６が設けられる。タッチパネル６６は、画面表示と共にタッチ操作が可能であり、電流監視装置３０の電流監視表示部３３と操作部３４に相当する。
【００４１】
図６には、前面扉４２を開状態とした筐体４０の正面図を示している。筐体４０の内部には、前述のタッチパネル６６が前面側に露出するように配置されている他、防災監視装置２０を構成する部品である防災監視構成部６１と、電流監視装置３０を構成する部品である電流監視構成部６２が配置されている。また、筐体４０の前面側には、印字部２７も露出しており、印字された紙を正面から取り出すことができる。
【００４２】
タッチパネル６６は、中央に開口を有する取付板６５に取付けられている。取付板６５は、一側部にヒンジ部６１を有しており、ヒンジ部６１よりもタッチパネル６６側の部分は、前後方向に開閉自在な開閉部６４となっている。なお、開閉部６４は防災受信盤１の使用時においては開閉不能に固定される。タッチパネル６６が開口を有する取付板６５に取付けられていることで、タッチパネル６６の交換を容易にできる。特に、タッチパネル６６の仕様が変わっても、画面サイズが一致すればタッチパネル６６だけを交換できるので、将来的なメンテナンス性を良好にすることができる。
【００４３】
また、タッチパネル６６は、ヒンジ部６１を介して開閉動作可能な開閉部６４に設けられているので、防災受信盤１の設置時やタッチパネル６６の交換時には、開閉部６４を開くことで、タッチパネル６６に対する配線作業を容易にすることができる。メンテナンス等のために筐体４０の前面扉４２を開いた場合には、タッチパネル６６に情報が表示されると共に、タッチパネル６６をタッチ操作することにより、各種操作を行うことができる。
【００４４】
次に、タッチパネル６６の画面表示について説明する。図７には、電流値の自動測定の結果を表示した状態のタッチパネル６６の画面表示を示している。画面の下部には画面切り替えメニュー７０が表示されている。タッチパネル６６で表示される画面の種類は複数あり、画面切り替えメニュー７０のタッチ操作により、画面を切り替えることができる。図７では画面切り替えメニュー７０のうち、左端の「自動測定」が選択されている。
【００４５】
画面の右側部には、自動測定に関する操作を行うボタンが配置された操作メニュー７２が表示されている。画面の上部には、画面のタイトルが表示されるタイトル部７１を有している。タイトル部７１と画面切り替えメニュー７０の配置は、タッチパネル６６に表示される各画面で共通している。
【００４６】
自動測定の画面の中央部は、各端末機器において測定された電流値と、各端末機器に設定された電流値の下限値及び上限値が一覧で表示される自動測定結果表示部７３である。自動測定結果表示部７３では、端末機器毎に固有の番号が割り振られており、測定中の端末機器の番号の欄は、背景色が変化する。これにより、現在測定中の端末機器がどれであるかを視認できる。図７では、Ｎｏ．００３の欄の背景色が変化しており、当該端末機器が測定中であることが分かる。また、測定の結果、電流値が下限値と上限値の間になかった端末機器、すなわち、異常が検出された端末機器については、当該測定値の欄の背景色が変化する。これにより、異常のあった測定値を素早く発見できる。図７では、Ｎｏ．００２の測定値が、１．８５であって、上限値である１．００よりも大きいので、当該欄の背景色が変化している。
【００４７】
図８には、異常履歴を表示した状態のタッチパネル６６の画面表示を示している。画面の下部には画面切り替えメニュー７０が表示されている。画面の右側部には、ページ切り替えのボタンや、異常履歴の情報に対する操作ボタン、及び履歴情報の保存のボタンなどが配置された操作メニュー７４が表示されている。画面の上部には、画面のタイトルが表示されるタイトル部７１を有している。
【００４８】
異常履歴の画面の中央部は、これまで測定された端末機器の電流値のうち、異常が検出された履歴のみを、異常の発生日時が新しい履歴から順に表示する異常履歴表示部７５である。異常履歴表示部７５に表示される情報は、異常の発生日時と異常の内容、及び異常の復旧が確認された日時である。
【００４９】
異常履歴表示部７５に表示される情報は、以下のように抽出される。自動測定または手動測定により、各端末機器の電流測定が行われたら、その結果は記憶部３６に記憶される。記憶部３６には、測定結果と測定日時及び異常の有無の情報が関連付けて記憶される。また、異常がある場合には、当該異常の程度の情報も併せて記憶される。異常の程度は、軽度、中度、重度の３段階であって、検出された異常の種類によって分類される。さらに、異常有りの情報については、復旧確認が行われた日時の情報も、測定結果に関連付けて記憶されている。
【００５０】
電流監視装置３０の電流監視制御部３１は、タッチパネル６６に異常履歴を表示させる際、記憶部３６から異常有りの情報に対応する測定結果と測定日時、復旧確認日時及び異常の程度の情報を抽出する。各情報は、異常の程度の情報に基づいてソートされ、異常の程度が重度のものから順に異常履歴表示部７５に表示される。図８において、Ｎｏ．０００１〜０００２に表示された情報は、重度の異常に対応し、Ｎｏ．０００３〜０００５に表示された情報は、中度の異常に対応し、Ｎｏ．０００６〜０００７に表示された情報は、軽度の異常に対応する。
【００５１】
異常履歴表示部７５において異常履歴は、異常の程度毎に色分けされて表示されている。色分けは、背景色を変化させることによってなされている。検出された異常のうち、重度のものについては背景色が赤色に、中度のものについては背景色が黄色に、軽度のものについては背景色が変化なし（白色または水色）とされている。なお、図８では、各欄の網掛けの有無及び種類によって、背景色の違いを表現している。色分けはこの例に限られず、他の色を用いてもよい。異常履歴の背景が、異常の程度によって色分けされていることにより、端末機器の異常発生を直感的に把握することができ、メンテナンスの際の作業効率を向上させることができる。
【００５２】
また、記憶部３６に測定結果と関連付けて測定箇所の情報を記憶しておき、異常履歴の表示においては、抽出された異常ありの情報を測定箇所の情報に基づいてソートし、測定箇所ごとに異常履歴表示部７５に表示するようにしてもよい。測定箇所の情報としては、例えば上り線トンネルまたは下り線トンネルを表す情報がある。その両方で異常履歴の情報がある場合に、上り線トンネルにおける異常履歴の情報を先に表示するようにすることができる。また、異常の程度の情報によるソートと組み合わせて、上り線トンネルでの異常履歴が異常の程度により順に表示され、その後に下り線トンネルでの異常履歴が異常の程度により順に表示されるようにしてもよい。
【００５３】
また、記憶部３６に測定結果と関連付けて発生した異常の種類の情報を記憶しておき、異常履歴の表示においては、抽出された異常ありの情報を異常の種類の情報に基づいてソートし、異常の種類ごとに異常履歴表示部７５に表示するようにしてもよい。異常の種類としては、例えば、電流値の上限閾値を超えた異常、電流値の下限閾値を下回った異常、機器自体の異常が挙げられる。このうち、電流値の上限閾値を超えた異常を最も重視する場合には、当該異常の情報を先に表示し、それ以外の異常の情報も異常の種類ごとに順に表示するようにすることができる。また、異常の程度の情報や測定箇所の情報によるソートを異常の種類によるソートと組み合わせてもよい。
【００５４】
電流監視装置３０における異常履歴の情報は、防災監視装置２０の監視制御部２１を介して、印字部２７で紙に印字して出力することができる。本実施形態の防災受信盤は、防災監視装置２０と電流監視装置３０の両方を備えているので、防災監視装置２０の印字部２７を利用して電流監視装置３０における異常履歴を出力することが容易にできる。電流監視装置３０における異常履歴を印字部２７で出力することで、トンネル防災システムのメンテナンス性をより向上させ、効率のよい作業を可能とすることができる。
【００５５】
また、前面扉４２の開閉を検知する開閉検知部を筐体４０に設け、開閉検知部で検知した前面扉４２の開閉状態によって、グラフィックパネル５０やタッチパネル６６の表示を変えるようにしてもよい。具体的は、タッチパネル６６は前面扉４２が閉じた状態では表示オフの状態であり、開閉検知部で前面扉４２が開いたことを検知したら、タッチパネル６６が表示オンの状態となる。開閉検知部で前面扉４２が閉まったことを検知したら、タッチパネル６６は表示オフの状態となる。また、開閉検知部で前面扉４２が開いたことを検知したら、グラフィックパネル５０を表示オフとしてもよい。この場合、前面扉４２が開いてグラフィックパネル５０が表示オフとなった際に、端末機器における警報などグラフィックパネル５０に表示すべきイベントが発生したら、その情報をタッチパネル６６に表示することができる。
【００５６】
以上、本発明の実施形態について説明したが、本発明の適用は本実施形態には限られず、その技術的思想の範囲内において様々に適用されうる。
【符号の説明】
【００５７】
Ａ    上り線トンネル
Ｂ    下り線トンネル
Ｃ    避難連絡抗
１    防災受信盤
２    伝送線
４    消火ポンプ設備
５    通信線
１０    消火栓
１１    消火栓弁開閉検出スイッチ
１２    発信機
２０    防災監視装置
２１    監視制御部
２２    伝送部
２３    防災操作表示部
２４    音響発生部
２５    通話部
２６    通信部
２７    印字部
３０    電流監視装置
３１    電流監視制御部
３２    電流監視部
３３    電流監視表示部
３４    操作部
３５    第２表示部
３６    記憶部
３８    開閉検出部
４０    筐体
４１    筐体本体
４２    前面扉
４３    後面扉
５０    グラフィックパネル
５１    集合表示灯
５２    操作部
５３    通話部
５４    音響孔
６０    中間板
６１    防災監視構成部
６２    電流監視構成部
６３    土台部
６４    開閉部
６４ａ  ヒンジ部
６５    取付板
６６    タッチパネル
６７    本体部
【図１】
2019074900.tif 000003
【図２】
2019074900.tif 000004
【図３】
2019074900.tif 000005
【図４】
2019074900.tif 000006
【図５】
2019074900.tif 000007
【図６】
2019074900.tif 000008
【図７】
2019074900.tif 000009
【図８】
2019074900.tif 000010
【図９】
2019074900.tif 000011